(57)【要約】  デジタルビデオ放送用のワイヤレス通信システムにおいて、受信器装置は、ビタビ復号器を有する。このビタビ復号器は、入力として、対数尤度比を必要とする。フェージングチャネルに関して、フェージング強度が、対数尤度比を計算するために考慮に入れられることができる。モバイル環境においては、受信器の移動により、フェージング強度が変わる。本発明の受信器装置１は、各サブキャリアについて個別に決定される妨害電力の推定に依存して、対数尤度比を決定する。それゆえ、対数尤度比は、正確に且つ改善された性能をもって計算されることができる。
2008544622.tif 000002
【特許請求の範囲】
【請求項１】
少なくともフェージングチャネルを通じてデジタルデータを担持するマルチキャリア信号を受信する受信器装置であって、
軟判定値に基づいて、前記デジタルデータを決定するように適応される誤り訂正復号器と、
少なくとも間接的に前記誤り訂正復号器と接続され、前記信号の妨害電力の推定に依存して、前記デジタルデータについての軟判定値を決定するように適応されるソフトデマッパユニットであって、前記妨害電力の推定が、前記軟判定値の各々について個別に決定される、ソフトデマッパユニットと、
を有する受信機装置。
【請求項２】
前記マルチキャリア信号は、複数のサブキャリアを含み、前記ソフトデマッパユニットは、前記サブキャリアの各々に関して軟判定値を決定するように適応され、前記妨害電力の推定は、ノイズ電力及び干渉レベルに基づいて決定されることを特徴とする、請求項１に記載の受信器装置。
【請求項３】
前記サブキャリアについて決定されるフェージング強度の微分に依存して、前記サブキャリアの前記干渉レベルを計算するように適応される干渉レベル計算ユニットを有することを特徴とする、請求項２に記載の受信器装置。
【請求項４】
前記干渉レベル計算ユニットが、前記サブキャリアの前記干渉レベルを、
前記信号のアクティブなサブキャリアにおける平均電力と、前記サブキャリアについて決定される前記フェージング強度の前記微分の絶対値の二乗値と、の積である分子、及び、
特に１２である定数値と、サブキャリア間隔の二乗値と、の積である分母、
からなる分数値として、計算することを特徴とする、請求項３に記載の受信器装置。
【請求項５】
少なくともウィナーフィルタを有するチャネル推定ユニットを有し、前記チャネル推定ユニットの前記ウィナーフィルタが、前記フェージング強度の前記微分の推定を決定するために、時間ドメインにおいて、高速フーリエ変換ユニットから出力される受信信号をウィナーフィルタリングするように適応されることを特徴とする、請求項４に記載の受信器装置。
【請求項６】
前記ウィナーフィルタは、他のウィナーフィルタと接続され、前記他のウィナーフィルタは、前記サブキャリアにおける前記フェージング強度の推定を決定するために、周波数ドメインにおいて、前記高速フーリエ変換ユニットから出力される前記信号をウィナーフィルタリングするように適応され、前記決定された推定は、前記他のウィナーフィルタから前記ウィナーフィルタに出力されることを特徴とする、請求項５に記載の受信器装置。
【請求項７】
前記サブキャリアについて決定されるフェージング強度に依存して、前記サブキャリアの前記干渉レベルを計算するように適応される干渉レベル計算ユニットを有することを特徴とする、請求項２に記載の受信器装置。
【請求項８】
前記干渉レベル計算ユニットは、前記サブキャリアの時間座標に関して前記サブキャリアに後続するサブキャリアのフェージング強度と、前記時間座標に関して前記サブキャリアに先行するサブキャリアのフェージング強度と、の差に基づいて、前記サブキャリアの前記干渉レベルを計算することを特徴とする、請求項７に記載の受信器装置。
【請求項９】
前記干渉レベル計算ユニットは、前記サブキャリアの前記干渉レベルを、
前記信号のアクティブなサブキャリアにおける平均電力と、前記時間座標に関して前記サブキャリアに後続するサブキャリアのフェージング強度と前記時間座標に関して前記サブキャリアに先行するサブキャリアのフェージング強度との間の差の絶対値の二乗値と、の積である分子、及び、
特に４８である定数値と、サブキャリア間隔の二乗値と、前記マルチキャリア信号の持続時間及びガード間隔の和の二乗値と、の積である分母、
からなる分数値として、計算することを特徴とする、請求項８に記載の受信器装置。
【請求項１０】
少なくともウィナーフィルタを有するチャネル推定ユニットを有し、前記チャネル推定ユニットの前記ウィナーフィルタが、前記サブキャリアにおける前記フェージング強度の推定を決定するために、少なくとも周波数ドメインにおいて、高速フーリエ変換ユニットから出力される受信信号をウィナーフィルタリングするように適応されることを特徴とする、請求項９に記載の受信器装置。
【請求項１１】
前記ソフトデマッパユニットは、前記サブキャリアについての前記軟判定値を、特に４である定数値と、アクティブなサブキャリアにおける平均電力の平方根値と、前記サブキャリアにおけるフェージング強度の絶対値の二乗値と、前記受信器装置のイコライザユニットからの推定されるシンボル出力と、前記妨害電力の推定の逆数値と、の積として、計算するように適応されることを特徴とする、請求項２に記載の受信器装置。
【請求項１２】
高速フーリエ変換ユニットの出力が、前記イコライザユニットに入力され、前記イコライザユニットが、前記高速フーリエ変換ユニットの前記出力に基づいて、前記推定されるシンボル出力を決定することを特徴とする、請求項１１に記載の受信器装置。
【請求項１３】
前記ソフトデマッパユニットは、前記フェージングチャネルについて、付加的白色ガウス雑音モデルに基づいて、前記ノイズ電力の推定を決定することを特徴とする、請求項２に記載の受信器装置。
【請求項１４】
前記ソフトデマッパユニットは、ノイズ推定に依存して、前記サブキャリアについての前記軟判定値を計算するように適応され、前記ノイズ推定は、前記サブキャリアの各々について、個別に推定されることを特徴とする、請求項２に記載の受信器装置。
【発明の詳細な説明】
【技術分野】
【０００１】
本発明は、フェージングチャネルを通じてデジタルデータを担持するマルチキャリア信号を受信する受信器装置に関する。より具体的には、本発明は、２位相偏移変調、４位相偏移変調、又は直交振幅変調、特に１６直交振幅変調又は６４直交振幅変調、によって変調される信号を受信する、特にデジタルビデオ放送によるワイヤレス通信システムの信号を受信する受信器装置に関する。そのために、マルチキャリア信号は、直交周波数分割多重化によって又はマルチキャリア変調によって変調される信号として、理解されることができる。
【背景技術】
【０００２】
最先端技術を示す文書である国際公開第０２／０６７５２５ Ａ２号パンフレットは、送信器から受信器へマルチキャリア信号を送信するための伝送システムを記述している。それに関して、マルチキャリア信号は、複数のサブキャリアを含む。知られている伝送システムの受信器は、推定される振幅及び微分に依存して、受信されたマルチキャリア信号に含まれるキャリア間干渉を打ち消すためのイコライザを有する。それに関して、ノイズは、付加的白色ガウス雑音とみなされる。
【０００３】
国際公開第０２／０６７５２５ Ａ２号の伝送システムは、それが非常に複雑なシステムであるという不利益を有する。
【発明の開示】
【発明が解決しようとする課題】
【０００４】
本発明の目的は、改善された復号性能を有する、デジタル変調された信号を受信する受信器装置を提供することであり、特に、複雑さが低減された受信器装置を提供することである。
【課題を解決するための手段】
【０００５】
この目的は、請求項１に記載の受信器装置によって解決される。本発明の有利な展開は、従属請求項において言及される。
【０００６】
本発明は、直交周波数分割多重化に基づくシステムのドップラー誘導されるキャリア間干渉に対する高められた耐性が実現されることができるという他の利点を有する。
【０００７】
それについて、誤り訂正復号器は、軟判定情報を受け入れるとともに、ビタビ復号器によって構成されることができ、又はビタビ復号器を含むことができる。ビタビ復号器は、地上デジタルビデオ放送（ＤＶＢ−Ｔ）について使用されることができる。更に、誤り訂正復号器は、ターボ復号器によって構成されることができ、又はターボ復号器を含むことができる。軟判定情報は、対数尤度比、その他でありえる。
【０００８】
請求項２に記載の方策は、干渉レベルが、サブキャリアに依存して推定され、推定された干渉レベルは、マルチキャリア信号のサブキャリアの復調されたビットに関して、特に対数尤度比である軟判定値を決定するために、一般のノイズ電力と共に考慮に入れられるという利点をもつ。それゆえ、受信器は、特にビット誤り率である信頼性を改善するために、時間変化しサブキャリアに依存するノイズ電力を処理することができる。
【０００９】
請求項３に記載の方策は、軟判定値の推定又は特に対数尤度比の推定、の精度が更に向上されるという利点をもつ。それゆえ、ドップラー誘導されるキャリア間干渉を考慮した受信器装置の信頼性が更に改善される。
【００１０】
請求項４に記載の方策によれば、アクティブなサブキャリアにおける平均電力及びサブキャリア間隔が定数値であるとき、サブキャリアの干渉レベルは、定数値と、サブキャリアについて決定されるフェージング強度の時間微分の絶対値の二乗値と、の積として計算されることができる。サブキャリアについて決定されるフェージング強度の微分の絶対値の二乗値が乗じられるこの定数値は、アクティブなサブキャリアにおける平均電力である分子、及び少なくともほぼ１２とサブキャリア間隔の二乗値との積である分母、からなる分数値である。この場合、計算負荷及び受信器装置の複雑さが一層低減される。
【００１１】
請求項５の方策によれば、少なくともウィナーフィルタは、各サブキャリアにおけるフェージング強度の微分の推定を決定するために、周波数ドメインにおいて提供される。それに関して、フェージング強度の微分の推定は、連続する直交周波数分割多重ブロックにおけるフェージング強度の推定に、時間フィルタリングを適用することによって得られることができる。
【００１２】
請求項７に記載の方策は、干渉レベルが、フェージング強度から得られることができ、それにより計算負荷及び受信器の複雑さが低減されるという利点をもつ。
【００１３】
請求項８に記載の方策は、フェージング強度の微分の簡単な一次近似が計算されるという利点をもつ。軟判定値の計算又は特に対数尤度比の計算のためのこの近似は、妨害電力が数デシベルの範囲内にあって、スケーリングエラーがある程度許容される多くのアプリケーションにとって十分に正確である。
【００１４】
請求項９に記載の方策によれば、平均電力、サブキャリア間隔、並びに持続時間及びガード間隔の和がそれぞれ一定であるとき、サブキャリアの干渉レベルは、非負の実数値の定数と、時間座標に関して当該サブキャリアに後続するサブキャリアのフェージング強度及び時間座標に関して当該サブキャリアに先行するサブキャリアのフェージング強度の間の差の二乗値と、の積として、計算されることができる。時間座標に関して当該サブキャリアに後続するサブキャリアのフェージング強度及び時間座標に関して当該サブキャリアに先行するサブキャリアのフェージング強度の間の差の絶対値の二乗値が乗じられる定数は、アクティブなサブキャリアにおける平均電力である分子、及び少なくともほぼ４８と、サブキャリア間隔の二乗値と、マルチキャリア信号の持続時間及びガード間隔の和の二乗値と、の積である分母、からなる分数値によって規定される。この場合、計算負荷が一層低減される。
【００１５】
請求項１０に記載の方策は、フェージング強度の改善された推定が、各々の時間インスタンスについて受け取られるという利点をもつ。
【００１６】
請求項１１に記載の方策によれば、ソフトデマッパユニットは、特定のサブキャリアについての軟判定値又は特に対数尤度比を、妨害電力の関数として計算し、妨害電力は、サブキャリアに依存する。使用される手法は、２位相偏移変調に適用される。更に、軟判定値は、フェージング強度の関数でもあり、フェージング強度は、特定のサブキャリアに依存する。それゆえ、妨害電力及びフェージング強度の双方は、周波数及び時間に依存する。
【００１７】
請求項１３に記載の方策によれば、グローバルな一定のノイズ電力は、付加的白色ガウス雑音モデルにおいて推定される。グローバルなノイズ電力は、他のやり方で推定されることもできる点に留意する必要がある。妨害電力は、ノイズ電力とサブキャリアに依存する干渉レベルとの関数である。それに関して、妨害電力は、好適には、ノイズ電力及び干渉レベルの和であるが、ノイズ電力及び干渉レベルの重み付けされた和又は他の関数であってもよい。
【００１８】
本発明のこれら及び他の見地は、以下に記述される実施例から明らかであり、それらの実施例を参照して説明される。
【００１９】
本発明は、同じ部分が同じ参照符号によって示される添付の図面を参照してなされる好適な実施例の以下の説明から容易に理解されるようになる。
【発明を実施するための最良の形態】
【００２０】
図１は、図２に示される本発明の第１の実施例又は図３に示される本発明の第２の実施例による受信器装置１の動作を説明するための直交周波数分割多重シンボル割り当て図を示している。受信器装置１は、フェージングチャネルを通じてデジタルデータを担持するデジタル変調された信号を受信するように構成される。本発明の受信器装置１の好適なアプリケーションは、２ｋサブキャリア及び８ｋサブキャリアによる直交周波数分割多重化及び４位相偏移変調、１６直交振幅変調又は６４直交振幅変調のような変調方式が使用されるデジタルビデオ放送システム、特にヨーロッパの地上デジタルビデオ放送システムである。本発明の受信器装置１は、一般に、周波数選択性のマルチパスチャネルを通じて信号を受信するために適用できる。より具体的には、本発明の受信器装置１は、基地局から信号を受け取る車又は電車のような移動する乗物に適用できる。しかしながら、本発明の受信器装置１は、他のアプリケーション及び他のデジタル変調スキームのためにも使用されることができる。
【００２１】
図１は、直交周波数分割多重シンボル割り当て図を示しており、サブキャリアは、黒丸及び白丸によって示されている。サブキャリアの各行は、周波数座標２に関して並べられ、サブキャリアの各列は、時間座標３に関して並べられている。パイロットサブキャリアは、黒丸によって示されており、これらのパイロットサブキャリアうちの１つが、参照符号４によって特徴付けられている。サブキャリアの各行は、１つの直交周波数分割多重シンボルに属する。それゆえ、最初の列５は、各々の直交周波数分割多重シンボルについての高速フーリエ変換後の最初のアクティブサブキャリアのパイロットキャリアからなる。更に、最後の列６は、高速フーリエ変換後の、各々の直交周波数分割多重シンボルの最後のアクティブサブキャリアのパイロットサブキャリアからなる。１つの直交周波数分割多重シンボルのサブキャリアであるサブキャリアの各行は、図示される各行の３つのドット７によって示されるように、例えば８０００のアクティブサブキャリアのオーダーの、複数のサブキャリアからなる。最初の列５及び最後の列６の間のパイロットサブキャリア４によって代表されるパイロットサブキャリアは、分散配置される。しかしながら、このパイロットサブキャリア４は、時間座標３に従ってライン上に配置されることもでき、又は他のやり方で配置されることもできる。
【００２２】
ユーザデータは、白丸によって示されるデータサブキャリアによって運ばれ、白丸の１つは、参照符号８によって特徴付けられている。それゆえ、データサブキャリア８によって代表されるデータサブキャリアは、パイロットサブキャリア４でないサブキャリアである。
【００２３】
図２は、本発明の第１の実施例による受信器装置１を示している。受信器装置１は、高速フーリエ変換ユニット１０を有する。高速フーリエ変換ユニット１０は、入力部１１において、ワイヤレスチャネルを介して伝送されるマルチキャリア信号を受信する。高速フーリエ変換ユニットは、受信信号を復調し、ライン１２を通じて、受信シンボルのベクトルを出力する。ライン１２を通じて、高速フーリエ変換ユニット１０の出力は、チャネル推定ユニット１３及びイコライザユニット１４に送られる。チャネル推定ユニット１３は、パイロットサブキャリア４によって代表される各パイロットサブキャリアにおけるフェージング強度を推定する。チャネル推定ユニット１３は、ウィナーフィルタ１５を有し、各々の時間インスタンスごとにデータサブキャリア８によって代表されるデータサブキャリアにおけるフェージング強度の推定を計算するために、周波数ドメインにおいてウィナーフィルタ１５を適用する。サブキャリア４、８によって代表される各サブキャリアのフェージング強度は、ライン１９を通じて出力され、イコライザユニット１４、ソフトデマッパユニット１６及び干渉レベル計算ユニット１７に送られる。
【００２４】
イコライザユニット１４は、ライン１２を通じて受け取られる受信シンボルのベクトル及びライン１９を通じて受け取られるシンボルのフェージング強度のベクトルに基づいて、推定されるシンボルのベクトルを決定し、ライン１８を通じてソフトデマッパユニット１６に、この推定されるシンボルのベクトルを出力する。
【００２５】
例えば、イコライザユニット１４は、サブキャリア２０の推定シンボルのベクトルの成分を、サブキャリア２０の受信シンボルのベクトルの成分である分子及びサブキャリア２０について推定されるフェージング強度（サブキャリア２０の推定されるフェージング強度のベクトルの成分）である分母からなる分数値として、計算することができる。それゆえ、推定シンボルのベクトルは、図１に示されるデータサブキャリアの各行ごとに、すなわち各々の時間座標３ごとに、決定される。
【００２６】
干渉レベル計算ユニット１７もまた、チャネル推定ユニット１３からフェージング強度のベクトルを受け取る。特定の時間座標のサブキャリアについて干渉レベルを推定するとき、干渉レベル計算ユニット１７は、フェージング強度の推定の少なくとも先行する行（時間座標３）及び後続する行（時間座標３）を使用する。例えば、干渉レベル計算ユニット１７は、サブキャリア２０の干渉レベルを、サブキャリア２０に先行するサブキャリア２１のフェージング強度及びサブキャリア２０に後続するサブキャリア２２のフェージング強度の関数として、決定する。より具体的には、干渉レベル計算ユニット１７は、後続するサブキャリア２２及び先行するサブキャリア２１におけるフェージング強度の差の絶対値の二乗値の関数として、干渉レベルを決定する。同様の演算により、干渉レベル計算ユニット１７は、サブキャリア２０と同じ行のサブキャリアについて干渉レベルを計算する。それに関して、干渉レベル計算ユニット１７は、信号のアクティブなサブキャリアにおける信号エネルギー又は平均電力を考慮に入れる。例えば、干渉レベル計算ユニット１７は、アクティブなサブキャリアにおける平均電力と、後続するサブキャリア２２のフェージング強度及び先行するサブキャリア２１のフェージング強度の差の絶対値の二乗値と、の積である分子、及び６４である分母、からなる分数値として、サブキャリア２０の干渉レベルを計算する。干渉レベル計算ユニット１７は、ソフトデマッパユニット１６に、ライン２３を通じて各サブキャリアについて計算された干渉レベルを出力する。
【００２７】
受信器装置１は、入力部１１において受信された信号のノイズ電力を推定するためのノイズ推定ユニット２５を有する。従って、ノイズ推定ユニット２５は、ライン１２を通じて、受信シンボルのベクトルを受け取る。ノイズ推定ユニット２５は、付加的白色ガウス雑音モデルに基づいて、ノイズ電力を推定するように適応される。しかしながら、ノイズ推定ユニット２５は、他のモデルに基づいてノイズ電力を推定することもでき、又はノイズ推定ユニット２５は、ノイズ電力を近似するためのプリセット値を記憶する簡単な記憶手段によって構築されることもできる。ノイズ推定ユニット２５は、ソフトデマッパユニット１６に、ライン２６を通じてノイズ電力を出力する。
【００２８】
ソフトデマッパユニット１６は、データサブキャリア８によって代表されるデータサブキャリアの各ビットについて、対数尤度比を計算するように構成される。それに関して、ソフトデマッパユニット１６の推定は、ライン１８を通じて受け取られる推定シンボルのベクトル、ライン１９を通じて受け取られる妨害電力の推定のベクトル、ライン２６を通じて受け取られるノイズ電力及びライン２３を通じて受け取られる干渉レベルのベクトルに基づく。ソフトデマッパユニット１６は、データサブキャリア２０の各ビットの対数尤度比を、４と、信号エネルギーの平方根値と、サブキャリア２０の推定されたフェージング強度の絶対値の二乗値と、サブキャリア２０の推定シンボルと、の積である分子、及びサブキャリア２０の妨害電力の推定である分母、からなる分数値として、計算するように適応される。それに関して、ソフトデマッパユニット１６は、サブキャリア２０の妨害電力を、ライン２３を通じて受け取られるサブキャリア２０の干渉レベル及びライン２６を通じて受け取られる全体のノイズ電力の関数として、計算する。それゆえ、妨害電力の推定は、特定のサブキャリアに依存し、かかる特定のサブキャリアについて、対数尤度比が計算される。具体的には、サブキャリア２０についての妨害電力は、ノイズ電力及びサブキャリア２０の干渉レベルの和として計算される。他のサブキャリアについての対数尤度比は、それに応じて計算される。ソフトデマッパユニット１６によって決定された対数尤度比は、ビタビ復号器２８に、ライン２７を通じて出力される。ビタビ復号器２８は、デジタルデータのベクトルを決定し、更なる処理のために、ライン２９を通じてこのベクトルを出力する。ライン２９は、受信器装置１の出力でもある。
【００２９】
対数尤度比の計算は、２位相偏移変調について適応され、計算の同様の適応は、高次の直交振幅変調についても行われることができることに留意すべきである。このような他の変調スキームにおいて、適応は、グローバルな、ゆえに一定のノイズ電力推定に代わって、妨害電力の記述された推定を使用することによって行われる。それゆえ、ノイズ電力は、周波数依存であると考えられ、ノイズ分散は、周波数の関数として計算される。例えば、直交周波数分割多重システムにおいて、手法の一定のノイズ分散は、周波数依存のノイズ分散と置き換えられ、この周波数依存のノイズ分散は、本発明の装置において少なくとも近似的に計算される。従って、対数尤度比、その他を計算するための知られている手法において、一定のノイズ電力は、局所的な周波数依存のノイズ電力と置き換えられ、従って、本発明は、広い応用分野において適用できる。それゆえ、一例は、２位相偏移変調ケースに関して与えられたが、これは、全ての他の適当な変調方式に拡張されることができる。例えば、６４直交振幅変調において、特定のビットの対数尤度比は、受信ポイントからこのビットの最も近い閾値までの距離に、適切に選ばれた係数を乗じることによって計算されることができる。この係数において、ノイズ分散が使用され、このノイズ分散は、周波数依存するものと考えられる。それゆえ、ノイズ分散は、フェージング強度及び更にはフェージング強度の微分の関数として計算されることができる。そのために、フェージング強度の微分の推定が、計算されることができる。
【００３０】
更に、分岐メトリックの４乃至５ビットの量子化について、対数尤度比の量子化ステップは、１であるように選ばれることができることに留意すべきである。
【００３１】
更に、ソフトデマッパユニット１６は、対数尤度比とは別の軟判定値を計算するように適応されることもできることに留意すべきである。
【００３２】
図３は、本発明の第２の実施例による受信器装置１を示す。本発明の第２の実施例において、チャネル推定ユニット１３は、イコライザユニット１４及びソフトデマッパユニット１６に、ライン１９を通じて１行のサブキャリアのフェージング強度のベクトルを出力する。
【００３３】
更に、チャネル推定ユニット１３は、時間領域において他のウィナーフィルタ１５'を適用し、これは、ウィナーフィルタ１５'が、フェージング強度の微分を決定するために、時間座標３に関して適用されることを意味する。そのために、微分は、少なくともデータサブキャリア８によって代表されるデータサブキャリアについて推定される。それゆえ、サブキャリア２０によって代表されるサブキャリアの行のすべてのデータサブキャリアについてフェージング強度の微分のベクトルを構築するために、時間微分が、例えばサブキャリア２０及びデータサブキャリア２０と同じ行の他のデータサブキャリアについて、推定される。フェージング強度の微分のこのベクトルは、干渉レベル計算ユニット１７に、ライン３５を通じて出力される。第１の実施例と異なり、第２の実施例の受信器装置１の干渉レベル計算ユニット１７は、フェージング強度自体の推定のベクトルを受け取らないことに留意すべきである。干渉計算ユニット１７は、干渉レベルを、フェージング強度の微分の関数として計算するように構成される。具体的には、干渉レベル計算ユニット１７は、サブキャリア２０についての干渉レベルを、信号エネルギーとサブキャリア２０の推定されるフェージング強度の微分の絶対値の二乗値との積である分子、及び１２とサブキャリア間隔の二乗値との積である分母、からなる分数値として、計算する。他のサブキャリアの干渉レベルの推定は、それに応じて計算される。干渉レベルの推定は、干渉レベル計算ユニット１７からソフトデマッパユニット１６に、ライン２３を通じて出力される。
【００３４】
図３に示される第２の実施例の受信器装置１は、図２に示される第１の実施例の受信器装置１と比較して、サブキャリア２０のフェージング強度の時間微分に基づいて、サブキャリア２０の各ビットについて対数尤度比のより正確な計算を提供することに留意すべきである。第２の実施例の受信器装置１において、サブキャリア２０のフェージング強度の微分の推定は、後続するサブキャリア２２のフェージング強度及び先行するサブキャリア２１のフェージング強度の差によって行われ、それにより受信器装置１の複雑さが一層低減される。
【００３５】
干渉レベルの計算は、一例として２位相偏移変調に関して行われ、他の変調スキームへの適応は、本発明の第１の実施例に関して上述したように実現されることができることに留意すべきである。
【００３６】
更に、ビタビ復号器２８のための対数尤度比の決定又は計算は、他の機構によって実施されることもでき、その場合、異なるシーケンス及び／又は異なる数の算術演算が受信器装置１において実施されるように、いくつかの手段が分離され又は一緒に組み合わせられることに留意すべきである。特に、イコライザユニット１４においてフェージング強度で除する代わりに、ソフトデマッパユニット１６は、フェージング強度の絶対値の二乗値を乗じるのではなく、フェージング強度の絶対値を乗じることによって、対数尤度比を計算することができる。
【００３７】
記述された計算のいくつかは、近似的な計算として理解されうることに留意すべきである。それに関して、いくつかの近似が、計算負荷を低減するために含められた。例えば、６４の数による除算は、簡単な２進右シフト演算によって実現されるので、値は、６４に切り上げられ又は切り下げられることができる。計算及び値は、実際に、ビタビ復号器の復号動作に必要な精度が達成されるほど正確なものに近くなるように選択される。
【００３８】
記述される実施例において、フェージング強度は、複素数によって表される。このような数の絶対値は、この数のノルムである。
【００３９】
本発明の例示的な実施例が開示されたが、当業者であれば、本発明の精神及び範囲から逸脱することなく本発明の利点のいくつかを達成するさまざまな変更及び変形が実施され、本発明の概念に対するそのような変形は、添付の特許請求の範囲によってカバーされることが意図されることが明らかであろう。特許請求の範囲において、参照符号は、本発明の範囲を制限するものとして解釈されるべきではない。更に、上述の説明及び添付の特許請求の範囲において、「有する、含む」なる語の意味は、他の構成要素又はステップを除外するものとして理解されるべきではない。更に、単数形で表わされる構成要素は、その複数の存在を除外せず、単一のプロセッサ又は他のユニットが、請求項に記載されるいくつかの手段の機能を果たすこともできる。
【図面の簡単な説明】
【００４０】
【図１】本発明の実施例を説明するための直交周波数分割多重シンボル割り当て図。
【図２】本発明の第１の実施例による受信器装置のブロック図。
【図３】本発明の第２の実施例による受信器装置のブロック図。
【図１】
2008544622.tif 000003
【図２】
2008544622.tif 000004
【図３】
2008544622.tif 000005
【国際調査報告】
2008544622.tif 000006
2008544622.tif 000007
2008544622.tif 000008